(57)【要約】【課題】室内空気湿度を低下させることによって、この室内で発育しようとするカビの発生を効果的に制御する方法を提供する。【解決手段】室内空気に対して露出した水面をこの室内に設け、そして前記水面の温度をこの室内空気の温度よりも低温に調節することによって、前記室内空気の相対湿度を低下させることを特徴とする、室内でカビが発育するのを抑制する。【選択図】図４
2006239585.tif 000002
【特許請求の範囲】
【請求項１】
室内でカビが発育するのを抑制する方法であって、この室内の空気に対して露出した水面をこの室内に設け、そして前記水面の水の温度を室内空気温度よりも低温に調節することによって、前記室内空気の相対湿度を低下させることを特徴とする、前記抑制方法。
【請求項２】
前記室内におけるカビの発育状況について温度と相対湿度との組合せで示される温湿度領域が、カビ発育環境の気候図、または温度と相対湿度を変数としてカビの発育程度が函数として表される関係式によって定められる、請求項１記載の抑制方法。
【請求項３】
前記露出した水面の水の温度を前記室内空気の露点温度以下の温度に制御する、請求項１または２記載の抑制方法。
【請求項４】
前記露出した水面が、前記室内の壁面に沿って流下する水の流れによって形成される、請求項１ないし３のいずれかに記載の抑制方法。
【請求項５】
前記露出した水面が、前記室内に置かれた水盤に張られた水によって形成される、請求項１ないし３のいずれかに記載の抑制方法。
【請求項６】
前記露出した水面が、前記室内空気に対して露出した状態を保ちながら、前記室内に設けられた水路に沿って流れる水によって形成される、請求項１ないし３のいずれかに記載の抑制方法。
【発明の詳細な説明】
【技術分野】
【０００１】
本発明は、室内でカビが発育するのを抑制する方法に関するものである。
【背景技術】
【０００２】
室内の様々な表面に付着して発育するカビは一般に空気中に含まれる水分を利用して発育するので、部屋の内部と外部との雰囲気の間で特に水分の移動がない室内でカビが発生するかどうかは、この室内空気の温湿度環境がカビの発育に適しているかどうかに依存している。
【０００３】
現在一般に普及している省エネ型の空調機で室内を冷房する場合、例えば室温２５℃で平衡状態に達した時には室内の相対湿度は７５％から８５％程度の高湿度になる場合が多く、特に気密性と断熱性の高い建物の部屋を上記の空調機で冷房する場合には、一旦低下した室温は上昇しにくくなって、空調機の運転はかなりの時間休止し、それによって、冷房のために空気中から除去される水分の量は減少して室内雰囲気の湿度は高く維持される結果、この室内はカビが発育し易い環境になる。
【０００４】
また、ホテルや料亭などで、室内や廊下を装飾するために、流水する壁面や小さな川のような流れを設ける場合があるが、このような水の流れを用いる装飾を施して、室温と同程度の水温の水を循環させていると、この水の流れから水蒸気が発生して建物に湿気が与えられ、その結果、建物の内部はカビが発生し易い環境になる。
【０００５】
このような室内でカビによる汚染を防止するには、従来、頻繁に拭き掃除を行ってカビを物理的に除去するか、あるいはカビが発生するたびにカビの除去と消毒とを繰り返すというような方法が採られてきた。
【発明の開示】
【発明が解決しようとする課題】
【０００６】
しかし、このような方法は、いずれもカビが発生してからカビを除去するものであって、カビの発生を予め防ぐという方法ではなく、室内においてカビの発生を防止する有効な方策は従来採られてこなかった。
【０００７】
本発明は、従来方法における上記の問題を解決しようとするものであって、室内で発育しようとするカビの発生を効果的に抑制することを可能にする室内空気湿度の低下方法を提供することを目的としている。
【課題を解決するための手段】
【０００８】
この目的は、
室内でカビが発育するのを抑制する方法であって、この室内の空気に対して露  出した水面をこの室内に設け、そして前記水面の水の温度を室内空気温度より  も低温に調節することによって、前記室内空気の相対湿度を低下させることを  特徴とする、前記抑制方法、
によって達成された。
【０００９】
室内空気におけるカビの発育状態について温度と相対湿度との組合せで示される前記の温湿度領域を示すものとしては、一般にどのような手段によって作成されたものであってもよく、例えば、温度および相対湿度の組合せとカビの発育状態との間の関係を調査することによって、これらの関係が表されている表または図、例えばカビ発育環境の気候図、または温度と相対湿度を変数としてカビの発育程度が函数として表される関係式、例えば、本出願人のＰＣＴ特許出願に係わる公開公報ＷＯ  ２００４／０３３７１３  Ａ１の第７頁に記載されているような周知の関係式が使用される。
【００１０】
図１は、上記のような図のうちで、本発明において好ましく用いられるものの一例を示しており、空気の温度と相対湿度との組合せで示される幾つかの部分に区分された温湿度領域と、これらのそれぞれの領域で発育するか、または発育しないカビの発育状態との間の関係を示すカビ発育環境の気候図であり、本出願人が既に特許を取得している特許第２７１０９０３号に示された気候図に基づいて作成されたものである。
【００１１】
図１において、“−”はカビが発育しない温湿度領域、“▲”はカビが１週間では発芽しないが、１か月以内には発芽する温湿度領域、“□”はカビが１日では発芽しないが、１週間以内には発芽する温湿度領域、そして“●”はカビが２４時間に発芽する温湿度領域をそれぞれ示している。
【００１２】
したがって、この図１によれば、カビの発生を防ぐためには、室内の温湿度環境を上記の“−”で示される領域内に保てばよいこととなるので、本発明では、室内空気の相対湿度をこのような領域内の相対湿度に保つために、室内空気に対して露出した水面を室内に設け、そして、この水面を形成させている水の温度を制御することを特徴としている。
【００１３】
また、この図の●で示される温湿度領域にあって、頻繁に除菌と消毒とが必要であった室内に、低温の露出した水面を設けることによって、その室内雰囲気の温湿度領域を▲または□の温湿度領域に移行させれば、この除菌と消毒の頻度を下げることができる。
【００１４】
本発明においては、前記の水の温度は、室内の温湿度環境がカビの発生を抑制する上記の温湿度領域内に保つのに必要な温度に制御すれば十分であるが、この水の温度を室内空気の露点温度以下の温度に制御すれば、室内空気の除湿が常に積極的に達成されて、相対湿度の低下が促進されるので、カビの発育をより一層効果的に、かつ確実に達成する上では、前記水の温度は、室内空気の露点温度以下の温度に制御するのが有利である。
【００１５】
室内空気に対して露出した水面を室内に設けるには、様々な手段を採用することができるが、例えば、室内の壁面に沿って水を流下させるか、室内に置かれた容器、例えば水盤に水を張るか、あるいは上面が開放されている室内の水路に沿って水を流すことによって、前記の露出した水面を設けることができる。
【発明の効果】
【００１６】
本発明によれば、カビが発生し易い様々な部屋、例えば、省エネ型の空調機が使われる部屋、または気密性と断熱性の高い建物において前記のような水による装飾が施された部屋の中でカビが発生するのを、環境を汚染する薬害を生じ易い様々な薬剤を使うことなく、あるいは面倒な、もしくは費用のかかる処理や作業を必要とすることなく、従来方法による場合よりも比較的簡単な手段で、室内でカビが発生するのを効果的に、かつ、確実に防ぐことができる。
また、カビが発生するたびにカビの除去と消毒とを繰り返さざるを得なかった古墳の石室のような、カビが発生し易い室内においても、労力と費用のかかる面倒なカビの除去と消毒の作業頻度を低下させることができる。
【００１７】
更に、本発明によれば、室内空気から水面への水蒸気の凝結に伴って、室内空気中に含まれるホルムアルデヒドやアンモニアのような水溶性の汚染物質ばかりでなく、建材、家具、塗料、洗剤、殺虫剤、防虫剤、清掃剤または磨き剤のような様々の部材、材料または化学製品等から放出されるか、あるいはその他の原因によって放出されるベンゼン、キシレン、ガソリン、有機溶剤、その他の揮発性炭化水素のような種々の揮発性有機化合物（Volatile Organic Compounds：VOC)並びに花粉やほこりまたは煙のような液体または固体の粒子状汚染物質が水滴中に取り込まれて空気中から水中へと除去される結果、室内空気の清浄化も達成される。
【００１８】
また、例えば、室内で壁面に沿って流下させるか、または水路に沿って流すことによって循環させる水を途中で吸着フィルターに通せば、水中に捕捉された汚染物質を分離して除去することができる。更にまた、汚染物質を分解する作用をもつ酸化チタンのような触媒を、例えば壁面や水路または水盤の内面に塗布しておけば、この汚染物質を水中で分解除去することもできる。
【発明を実施するための最良の形態】
【００１９】
例えば、夏期に室内の壁面に冷水を流下させて、この冷水に触れる空気の温度が露点温度以下の温度に冷やされると、空気中の水蒸気が冷水の表面で結露となって冷水中に除去される結果、絶対湿度が低下して相対湿度も低下する。冷水の表面に接している空気の温度は水温に近づいて、その空気の相対湿度は１００％になるが、水面から離れたところの室内空気は水温よりも高い温度に保たれるので、その場所の空気の相対湿度は低く維持されて、この空気に関する温湿度領域はカビが発育しない温湿度領域に移行する結果、このような空気に触れている壁面などの固体表面でカビが発育すること、すなわちカビの発生は防止される。
【００２０】
図２は、空気について、それの温度、絶対湿度および相対湿度の間の関係を示す湿り空気線図である。
夏期の室内空気において、例えば絶対湿度が０．０１８ｋｇ／ｋｇ  ｄｒｙ  ａｉｒである（乾燥空気１ｋｇ当たり１８ｇの水を水蒸気状態で含む。）場合、室内空気の気温が３０℃では相対湿度は６７％（前記空気湿り線図中ａ点で示される。）となり、ａ点で示されるこのような温湿度環境は、図１の気候図によれば、カビが発育しない温湿度領域に含まれるので、カビ発生が防止される環境に相当する。
【００２１】
しかし、上記の３０℃の室内に、この室温と同じ温度の水の水面を設けると、この水面に対して水分が自由に供給される条件の下では、３０℃の空気の絶対湿度は、その温度における飽和の絶対湿度の０．０２７２ｋｇ／ｋｇＤ．Ａ．に相当する水分を含むようになるまで上昇が可能であるので、水面の水は水蒸気となって室内空気中に拡散し、その結果室内空気の相対湿度が上昇する。
【００２２】
このような室内で、水面から蒸散した水蒸気によって絶対湿度が、例えば０．０２１６ｋｇ／ｋｇＤ．Ａ．（乾燥空気１ｋｇ当たり２１．６ｇの水を水蒸気の状態で含む。）まで上昇すれば、その場合の相対湿度は、前記空気湿り線図中のｂ点で示される８０％となり、このｂ点で示される温湿度環境は、図１の気候図では、□で示される温湿度領域の中に入るので、カビが発生する環境となる。
【００２３】
そこで、例えば２０℃のような露点温度以下の水温に制御されている水を部屋の内側壁面に流下させることによって、前述のような夏期の条件（気温３０℃、相対湿度６７％、絶対湿度０．０１８ｋｇ／ｋｇＤ．Ａ．および露点温度２３．２℃）にある室内空気に対して露出した水面を設けて、前記室内空気の相対湿度の上昇を防止すれば、室内の気温が相変わらず３０℃であっても、この室内空気の絶対湿度は０．０１８ｋｇ／ｋｇＤ．Ａ．以下に保たれるので、それの相対湿度は６７％以下に維持されて、室内はカビが発育しない温湿度環境に保たれる。
【実施例】
【００２４】
以下の実施例は、本発明を実施する場合の好ましい例を具体的に示すことを意図するものであって、本発明がこれらの実施例によって限定されることは意図されていない。
【００２５】
実施例１
部屋の内部と外部との間で水分の出入りがない室内に、室内空気に対して露出した水面を設け、そしてこの水面の水の温度を室内空気温度よりも低温に調節するための前記部屋を想定して、図３の平面図および図４の側面図に示されるような、密閉空間が形成された部屋（以下、チャンバーという。）を次のようにして作製した。
【００２６】
図３および図４に示されるように、温度調節部１Ｂを具えた低温恒温水槽１（ユニクールＵＣ−６５、ＥＹＥＬＡ）の水槽本体１Ａの外寸と寸法を合わせた発泡スチレンブロック２を水槽本体１Ａと並べて、この両者を両面接着テープで互いに結合させ、そして、この両者の上の全面にわたって、水槽本体１Ａの内寸に合わせた寸法の四角い切取り部分３Ａ（２４ｃｍ×２０ｃｍ）が形成されているプラスチック板３（３５ｃｍ×５０ｃｍ×厚さ１ｍｍ）を載せて、プラスチック板３の前記切取り部分３Ａの内側周囲と水槽本体１Ａの内側上縁部とを両面接着テープで接合させるとともに、プラスチック板３の外周縁部と発泡スチレンブロック２とを両面接着テープで接合させ、更に、水槽本体１Ａおよび発泡スチレンブロック２の上面とプラスチック板３との間に両面接着テープ４を張ることによって、プラスチック板３を水槽本体１Ａおよび発泡スチレンブロック２に固定させた。
【００２７】
ついで、プラスチック板３の上からアクリル樹脂製の蓋５（３０ｃｍ×４５ｃｍ×深さ１５ｃｍ）を被せて、この蓋５とプラスチック板３との間の境界をビニルテープで封ずることによって、密閉空間６が形成され、かつ、水槽本体１Ａの中に水Ｗを充填することによって密閉空間６内の空気に対して露出した水面Ｗ１が形成されているチャンバー７を作製した。
温度記録計８（サーモレコーダーＲＴ１２、エスペックミック社製）をチャンバー７の密閉空間６内にあるプラスチック板３の上に置いて、この密閉空間６の空気温度を測定し、また、この温度記録計８に接続させた温度センサーＳ（ＲＴＨ１１１０、エスペックミック社製）を水槽本体１Ａ中の水の中に浸して、この温度センサーＳによって検出される水温を同じく温度記録計８で測定した。
【００２８】
下記の実験においては、密閉空間６内の空気温度と水温は１０分ごとの自動計測によって測定され、そして培養終了後においては、これらの各測定温度の平均値をもって、この空気温度と水温の値とした。
【００２９】
以上のようにして用意されたチャンバーを用い、水分の出入りのない２５℃の室内で、この室温よりも５℃低い温度の水の水面を設ける場合を想定して、密閉空間３に接した水の温度を低温恒温水槽１の温度調節部１Ｂにより２０℃に調節して、次のような実験を遂行した。
【００３０】
実験中の培養時には水槽１の電源が入っているために、水槽本体１Ａ内部の水は攪拌状態になっていて、密閉空間６内の空気温度は低温恒温水槽１の温度調節部１Ｂの発熱により約１℃上昇して２６．６℃になり、そして水温は１９．９℃であったために、空気温度と水温との温度差は実際には６℃であった。
【００３１】
前記の温度記録計８の表面には、図５の平面図および図６の側面図で示されるような、内部にカビの胞子が入れられた試験片Ｔ，Ｔ２つを、図３に示されるように別々の場所に、すなわち２か所に貼り付けた。その一方の試験片には好乾性のカビであるEurotium herbariorum J-183株の胞子を、そして他方の試験片には好湿性のカビであるAlternaria alternata S-78 株の胞子をそれぞれ入れた。
【００３２】
上記の試験片は、カビの発育に必要な栄養分が与えられた状態でカビの胞子が接種されており、この発育に必要な酸素と水分は外部から透明な通気性フィルムを通して内部のカビに供給され、この試験片が置かれている環境がカビの発育可能な温湿度環境になっていれば、カビの胞子は発芽して菌糸が伸長する。
【００３３】
上記の試験片Ｔは、図５および図６に示されるように、硬質塩化ビニル製の透明板１１の上に、栄養分と混ぜられたカビの胞子１２が２つのスポットに接種されて、透明な通気性フィルム１３と透明板１１とが両面接着テープ１４で互いに接合するこっとによって形成された封じ込め空間１５内に収められた構造となっている。
【００３４】
このような構造の試験片が前述のように温度記録計に貼られ、そして水槽に張られた水の温度が温度調節部によって２０℃に調整されたチャンバーを室温２５℃の室内に置いた。このようにしてカビを２４時間培養後、試験片をチャンバーから取り出して、試験片内部のカビの発育状態を顕微鏡下で観察したところ、上記の何れのカビの胞子についても、発芽は認められず、２０℃の水面と接した２６℃の空間内ではカビの発育が抑制されることが判明した。
【００３５】
つぎに、水槽に入れられた水の温度を密閉空間中の空気の温度と同じにするためにこの水の温度を２５℃に調節した後に、低温恒温水槽の電源を切って、前記の場合と同様に、好乾性のカビであるEurotium herbariorum J-183株と好湿性のカビであるAlternaria alternata S-78 株の胞子をそれぞれ内蔵している試験片を温度記録計に貼り付けて、これらのカビを２４時間培養した。この期間中のチャンバーの内部温度および水温は共に２５．３℃であった。
【００３６】
２４時間培養後におけるカビの発育状態を調べるために、顕微鏡下でカビの写真を撮影し、この撮影された写真を用いて、チャンバー内で発育したカビの菌糸長を測定した。この写真に撮影された菌糸の中で長いものから順に５本の菌糸を選んでそれらの長さを測定し、この５本の菌糸の中で最も長い菌糸と最も短い菌糸を外して、残りの３本の菌糸の長さの平均値を、写真撮影された菌糸の菌糸長とした。
【００３７】
試験された何れのカビについてもカビが発芽して菌糸の伸長が認められ、Eurotium herbariorum J-183株およびAlternaria alternata S-78 株の菌糸長はそれぞれ２５３±１０μｍおよび９２３±２７μｍであった。
このように、室温と同じ温度の水面がある場合には、その室内はカビが著しく発育し易い環境になることが確認された。
以上のことから、室温と同じ温度の水面を室内に設けると、この室内はカビが著しく発育し易い雰囲気となり、一方、この水面の温度を室温よりも６℃低くすると、室内はカビが発育しない雰囲気になることが分かる。
【００３８】
実施例２
外部とは水分の出入りがあって、相対湿度が高く保たれている夏期の室内で、室温よりも５℃低い温度の水面を設ける場合を想定して、次の実験を遂行した。
まず初めに、８４％の相対湿度が保たれている普通の室内を想定し、実施例１で用いたチャンバーにおいて恒温水槽の電源を切り、そして露出した水面が設けられている水槽の上に蓋をして、水面の上の水槽中の空間と水槽の上の空間との間で空気の出入りが起こらない状態を作った。
【００３９】
ＡＳＴＭ  Ｅ１０４によれば、密閉空間内にＫＣｌの結晶とその飽和溶液とを入れると、雰囲気温度２５℃の平衡状態では密閉空間内雰囲気の相対湿度は８４％になることが知られていることを利用して、このＫＣｌの結晶とその飽和溶液とを入れた小型の容器を、上記の水面とは遮断された密閉空間内に配置して、この密閉空間内雰囲気の相対湿度を８４％に調節した。この場合、飽和溶液の露出した表面の面積が水槽の内寸と同じ２４ｃｍ×２０ｃｍに近い面積になるように、小型容器の寸法と数を調節した。
【００４０】
上記の小型容器は、前記の発泡スチレンブロックの上を被うプラスチック板の上に配置し、そしてこの小型容器の上にプラスチック製のネットを敷いて、このネットの上に温度記録計を置いた。この温度記録計には、実施例１の場合と同様に、それぞれEurotium herbariorum J-183株およびAlternaria alternata S-78 株の胞子を含む試験片を貼って、３日間カビを培養した。チャンバー内部の温度は２５．３℃であった。
【００４１】
３日後にカビの発育状態を調べたところ、好乾性のカビであるEurotium herbariorum J-183株の胞子は発芽して、それの菌糸長は７１２±２６μｍとなったが、好湿性のカビであるAlternaria alternata S-78 株の胞子では発芽が認められなかった。
【００４２】
つぎに、外部とは水分の出入りがあって、相対湿度が高く保たれている、前記と同じ夏期の室内で、室温よりも５℃低い温度の水面を設ける場合を想定して、前記のようにＫＣｌの結晶とその飽和溶液とを入れた小型容器を置いた状態で水槽本体の上の蓋を外して、実施例１の場合と同様に水温を２０℃に調節し（培養時は恒温水槽の電源が入っているために、水槽本体内の水は攪拌状態になっている。）、そして前述のように、チャンバー内部に置かれた温度記録計にそれぞれEurotium herbariorum J-183株およびAlternaria alternata S-78 株の胞子を含む試験片を貼った。
【００４３】
培養期間は３日間として、培養後における試験片中のカビの発育状態を実施例１の場合のように、写真に撮影した。この培養中のチャンバー内部の温度は２６．２℃で、水温は２０．０℃であった。チャンバーの内部温度は、実施例１の場合と同様に、低温恒温水槽の温度調節部の発熱によって約１℃上昇したため、この実験では、室温よりも６℃低い温度の水面が設けられている状態となっていた。
【００４４】
３日間の培養後には、何れのカビについても発芽は認められなかった。したがって、ＫＣｌの飽和溶液から絶えず水分が供給される空間の雰囲気の温度が２６℃であっても、この雰囲気が２０℃の水温の水面と接触していれば、カビの発育が抑制されることが分かった。
【００４５】
更に、外部とは水分の出入りがあって、相対湿度が高く保たれている、前記と同じ夏期の室内で、室温とほぼ同じ温度の水面を設ける場合を想定して、前記のようにＫＣｌの結晶とその飽和溶液とを入れた小型容器を置いた状態で水温を２５℃に調節した後、低温恒温水槽の電源を切って水面の温度と室温とを同じ温度に保った状態で、前述のように、チャンバー内部に置かれた温度計の表面にそれぞれEurotium herbariorum J-183株およびAlternaria alternata S-78 株の胞子を含む試験片を貼った。この培養中のチャンバー内部の温度および水温はともに２５．３℃であった。
【００４６】
２４時間培養後に試験片内部におけるカビの発育状態を観察するために、顕微鏡下でカビの写真を撮影し、この撮影された写真を用いて、前述のように、菌糸の菌糸長を測定した。
何れのカビについても、胞子が発芽して菌糸の伸長が認められ、Eurotium herbariorum J-183株およびAlternaria alternata S-78 株の菌糸長はそれぞれ３８０±８０μｍおよび２８±１７μｍであった。
【００４７】
以上の結果から、次のようなことが確認された。
すなわち、室温２５〜２６℃付近で平衡相対湿度が８４％になる室内では好湿性のカビは発育しないが、好乾性のカビは発育し、このような室内に室温と同じ温度の水面を設けると、この水面から水蒸気が室内に行きわたって、この室内は好湿性のカビも好乾性のカビも発育する環境になるけれども、この室内に室温よりも６℃低い温度の水面を設けると、室内はカビが発育しない環境になること、が確認された。
このように、本発明によれば、夏期に湿度が高くてカビが発生し易いような室内に、低温の水面を設けることによって、このカビが発生し易い雰囲気をカビが発生しない雰囲気に変えることができる。
【産業上の利用可能性】
【００４８】
以上に述べた説明から明らかなように、本発明は、気密性または断熱性が高かったり、あるいは省エネ型の空調機等が使われて夏期に冷房されるような、カビが発生し易い様々な室内、例えば、家庭、工場、作業場、倉庫等の室内でカビの発生を防止するために、あるいはこれに伴って、前述のように室内空気の清浄化のためにも便利に利用することができる。
【図面の簡単な説明】
【００４９】
【図１】本発明において利用されるカビ発育環境の気候図である。
【図２】本発明において利用される湿り空気線図である。
【図３】本発明の効果を立証するために作製された実験装置の一例を示す平面図である。
【図４】図３に示される実験装置の側面図である。
【図５】上記の実験装置で使われる試験片の一例を示す平面図である。
【図６】図５に示される試験片の側面図である。
【符号の説明】
【００５０】
１・・・・・・・・・・・低温恒温水槽
１Ａ・・・・・・・・・・水槽本体
１Ｂ・・・・・・・・・・温度調節部
２・・・・・・・・・・・発泡スチレンブロック
３・・・・・・・・・・・プラスチック板
３Ａ・・・・・・・・・・切取り部分
４，１４・・・・・・・・両面接着テープ
５・・・・・・・・・・・蓋
６・・・・・・・・・・・密閉空間
７・・・・・・・・・・・チャンバー
８・・・・・・・・・・・温度記録計
１１・・・・・・・・・・透明なプラスチック板
１２・・・・・・・・・・栄養分と混ぜられたカビの胞子
１３・・・・・・・・・・透明な通気性フィルム
１５・・・・・・・・・・封じ込め空間
Ｔ・・・・・・・・・・・試験片
Ｓ・・・・・・・・・・・温度センサー
Ｗ・・・・・・・・・・・水
Ｗ１・・・・・・・・・・水面
【図１】
2006239585.tif 000003
【図２】
2006239585.tif 000004
【図３】
2006239585.tif 000005
【図４】
2006239585.tif 000006
【図５】
2006239585.tif 000007
【図６】
2006239585.tif 000008
【手続補正書】
【提出日】平成17年4月27日(2005.4.27)
【手続補正１】
【補正対象書類名】明細書
【補正対象項目名】００２９
【補正方法】変更
【補正の内容】
【００２９】
以上のようにして用意されたチャンバーを用い、水分の出入りのない２５℃の室内で、この室温よりも５℃低い温度の水の水面を設ける場合を想定して、密閉空間６に接した水の温度を低温恒温水槽１の温度調節部１Ｂにより２０℃に調節して、次のような実験を遂行した。
【手続補正２】
【補正対象書類名】明細書
【補正対象項目名】００３３
【補正方法】変更
【補正の内容】
【００３３】
上記の試験片Ｔは、図５および図６に示されるように、硬質塩化ビニル製の透明板１１の上に、栄養分と混ぜられたカビの胞子１２が２つのスポットに接触されて、透明な通気性フィルム１３と透明板１１とが両面接着テープ１４で互いに接合することによって形成された封じ込め空間１５内に収められた構造となっている。